(57)【特許請求の範囲】
【請求項１】
互いに平行な一対の面板間に電源とオン・オフスイッチとを含む警報音発生電気回路および前記面板間に挿入された可撓性のひもを抜脱可能に支持する支持機構が形成され、前記スイッチの電気接点が、ばね付勢された可動端子と前記可動端子が係脱する固定端子とを有し、前記両端子が前記ばね付勢下に係合して前記電気回路が閉じると警報音が発生し、前記面板間に支持された前記ひもと前記可動端子とが直接的にまたは前記ひもと可動端子との間に介在する中間部材を介して間接的に係合すると、前記可動端子が前記ばね付勢に抗して前記固定端子から離脱して前記警報音が止む装置と、前記ひもとで構成されていることを特徴とする警報装置。
【請求項２】
前記一対の面板が実質的に同じ大きさの矩形のものであって、これら両面板は、互いの側面または端面に沿って延びる前記ひもが前記両面板間の隙間へ挿入されて前記機構に支持されるように前記両面板の側面どうしおよび端面どうしを一致させ、所要寸法離間して重なり合っている請求項１記載の装置。
【請求項３】
前記ひもは、前記機構に支持されたときに少なくとも一方の端部が前記両面板間から外へ延出する長さを有している請求項１または２記載の装置。
【請求項４】
前記一対の面板が、クレジットカードとほぼ同じ大きさに形成されている請求項１〜３のいずれかに記載の装置。
【請求項５】
外形が、ほぼカード形状を呈している請求項１〜４のいずれかに記載の装置。
【請求項６】
前記電源に電池が使用され、前記電池が交換可能である請求項１〜５のいずれかに記載の装置。
【請求項７】
前記可動端子が、前記ひもに加え、前記ひもとは別個の手段によっても前記固定端子から離脱できるように形成されている請求項１〜６のいずれかに記載の装置。
【発明の詳細な説明】
【０００１】
【発明の属する技術分野】
この発明は、身に着けている財布等の盗難を防止するための、携帯用の警報装置に関する。
【０００２】
【従来の技術】
実開昭５５−１４３０１５号公報に開示された警報器付きクレジットカード入れは、電池とスイッチとを含む警報音発生回路を内蔵している。このカード入れにクレジットカードを入れると、スイッチの接点が開く。そのカードを抜くと、接点が閉じて警報音が発生する。
【０００３】
実開平１−１３８１９４号公報に開示された盗難防止用警報装置は、装置に取り付けられたひもが切断すると警報音が発生する。
【０００４】
【発明が解決しようとする課題】
前記実開昭５５−１４３０１５号公報の装置は、個々のクレジットカードが抜き取られるという盗難に対して効果的であっても、カード入れそのものが盗まれることを防ぐ手段にはなり難い。
【０００５】
前記実開平１−１３８１９４号公報の装置は、クレジットカードやクレジットカード入れのような、比較的小型で軽量な物に使用するには不向きである。
【０００６】
そこで、この発明は、身に着けている財布やクレジットカード入れ等の比較的小型で軽量なものに使用するのに好適な盗難防止用警報装置の提供を課題にしている。
【０００７】
【課題を解決するための手段】
前記課題解決のために、この発明が特徴とするところは、互いに平行な一対の面板間に電源とオン・オフスイッチとを含む警報音発生電気回路および前記面板間に挿入された可撓性のひもを抜脱可能に支持する支持機構が形成され、前記スイッチの電気接点が、ばね付勢された可動端子と前記可動端子が係脱する固定端子とを有し、前記両端子が前記ばね付勢下に係合して前記電気回路が閉じると警報音が発生し、前記面板間に支持された前記ひもと前記可動端子とが直接的にまたは前記ひもと可動端子との間に介在する中間部材を介して間接的に係合すると、前記可動端子が前記ばね付勢に抗して前記固定端子から離脱して前記警報音が止む装置と、前記ひもとで構成されている警報装置、にある。
【０００８】
この発明の好ましい実施態様の一つにおいて、前記一対の面板が実質的に同じ大きさの矩形のものであって、これら両面板は、互いの側面または端面に沿って延びる前記ひもが前記両面板間の隙間へ挿入されて前記機構に支持されるように前記両面板の側面どうしおよび端面どうしを一致させ、所要寸法離間して重なり合っている。
【０００９】
実施態様の他の一つにおいて、前記ひもは、前記機構に支持されたときに少なくとも一方の端部が前記両面板間から外へ延出する長さを有している。
【００１０】
実施態様の他の一つにおいて、前記一対の面板が、クレジットカードとほぼ同じ大きさに形成されている。
【００１１】
実施態様の他の一つにおいて、前記装置の外形が、ほぼカード形状を呈している。
【００１２】
実施態様の他の一つにおいて、前記電源に電池が使用され、前記電池が交換可能である。
【００１３】
実施態様のさらに他の一つにおいて、前記可動端子が、前記ひもに加え、前記ひもとは別個の手段によっても前記固定端子から離脱できるように形成されている。
【００１４】
【発明の実施の形態】
添付の図面を参照し、この発明に係る警報装置の詳細を説明すると、以下のとおりである。
【００１５】
図１に斜視図で示された警報装置１は、クレジットカードとほぼ同じ大きさの直方体であって、厚さ２〜５ｍｍ程度を有する本体４と、本体４に離脱可能に係合している可撓性のひも６とで構成されている。
【００１６】
本体４は、実質的に同じ大きさの上部面板２と下部面板３とを有し、これら両面板２，３が四隅のビス５で取り外し可能または取り外し不能な状態で固定されている。上部面板２は、好ましくは絶縁性材料からなるもので、互いに平行な一対の端面８Ａ，８Ｂと一対の側面９Ａ，９Ｂとを有する。上部面板２の外面には、滑り止めのために、細かな格子模様７が形成されるとともに、円形のゴムパッド１１が取り付けられている。下部面板３は、好ましくは絶縁性材料からなるもので、上部面板２の外面と同様な外面と、上部面板２の各端面と側面８Ａ，８Ｂ，９Ａ，９Ｂに対応する端面と側面８ａ，８ｂ，９ａ，９ｂを有する。
【００１７】
端面８ａ，８ｂと側面９ｂとは本体４の厚み方向の丈が同じであるが、側面９ａの丈はそれらの丈よりも低く、上下面板２，３の側面９Ａと９ａとの間には、本体４の側方へ向かって開口する溝部１６が形成されている。下部面板３の端面の一つ８ａからは、電源電池点検用の発光ダイオード１７と押しボタン１８とがのぞいている。
【００１８】
ひも６は、好ましくは絶縁性材料からなるもので、一端部６Ａ（図２参照）が溝部１６に沿って本体４に納まり、その一端部の反対端部６Ｂが溝部１６から延出している。その反対端部６Ｂには、フック部材１９が取り付けられている。
【００１９】
図２，３，４は、図１の装置１において上部面板２とひも６とを外したときの本体４とひも６の平面図、図２のＩＩＩ−ＩＩＩ線切断面を示す図、および本体４に内蔵されている警報音発生用の電気回路２１の図面である。
【００２０】
下部面板３において、端面８ａ，８ｂと側面９ａ，９ｂの内側にはリブ１０が形成されている。リブ１０は、各面８ａ，８ｂ，９ｂと一体であるが、図の左側に位置する側面９ａからは離間し、本体４の内側へ偏倚している。
【００２１】
リブ１０で囲まれている部分の内側には、電気回路２１その他が納められている。リブ１０のうちの側面９ａに平行な部分１０ａには、本体４の内外へ通じる切り欠き部４１と、部分１０ａの外側において部分１０ａに沿って両端面８ａ，８ｂ間に延びるひも挿入溝４２とが形成されている。図３に示されるように、下部面板３には、側面９ａから挿入溝４２へ至るまでの間に、面板３の内側へ向かって登り勾配となる斜面４３が形成されている。図３には、上部面板２と、挿入溝４２に納まるひも６とが仮想線で示されている。
【００２２】
本体４の電気回路２１は、警報音発信器２２と、スピーカー２３と、電源電池２４と、オン・オフスイッチ２６とを有し、これらが導線２７を介して電気的に接続している。また、この回路２１は、電池寿命点検用回路２９をも有する。点検用回路２９は、発光ダイオード１７と押しボタン１８とスイッチ３１とを備えている。
【００２３】
回路２１は、スイッチ２６が図示のように閉じているときには、発信器２２が動作して、スピーカー２３から警報音が発生し、スイッチ２６が開いたときに、その警報音が止む。スイッチ２６の接点部は、スイッチ２６が閉じる方向へばね３３によって付勢された可動端子３４と、端子３４が係脱する固定端子３５と、可動端子３４に当接し、端子３４を介してばね３３によって下部面板３の内側から外側へ向かって付勢されている操作子３６とを有する。操作子３６は、絶縁材料製のもので、リブ１０の切り欠き部４１に納まっていてリブ１０から下部面板３の外側へ向かって延びる外端部３６Ａと、内側へ向かって延びる内端部３６Ｂとを有し、内外端部３６Ａ，３６Ｂの中間からは翼部３６Ｃが延出している。図２の状態では、外端部３６Ａがリブ１０よりも外へ出て挿入溝４２または挿入溝４２の外に位置している。内端部３６Ｂは、可動端子３４に当接している。翼部３６Ｃは、リブ１０の切り欠き部４１近傍においてリブ１０の内側に当接し、操作子３６が切り欠き部４１から外側へ抜け出ることを防止している。本体４から上部面板２を外すと、電池２４を交換することができる。
【００２４】
点検用回路２９は、端面８ａからのぞくボタン１８を押すと、スイッチ３１が閉じて、電池２４の寿命が尽きていなければダイオード１７が点灯する。ボタン１８は、付勢ばね５１を備えている。装置１が電池２４の点検を必要としないときには、回路２９を省くことができる。
【００２５】
ひも６は、下部面板３の側面９ａの長さよりも長く、その太さは、図３に示されるように、挿入溝４２において上下部面板２，３に圧接し、かつ、矢印Ｘに従って側方から、斜面４３の頂部と上部面板２との間の間隙４６を経て挿入溝４２へ圧入できる程度である。
【００２６】
ひも６は、挿入溝４２に納まるときに、操作子３６の外端部３６Ａを押圧し、ばね３３の付勢に抗して可動端子３４を図２に仮想線で示されるように移動させ、スイッチ２６の接点を開くことができる。接点が開いている装置１は、警報音を発生することがない。挿入溝４２に支持されているひも６は、所要の力で引張られると、挿入溝４２から間隙４６を経て外れるか、または挿入溝４２の長手方向へ動いて溝４２から抜き取られるようにして外れる。
【００２７】
このように構成された装置１は、本体４の挿入溝４２にひも６の一端部６Ａが納まった状態で財布の中へ入れ、ひも６の反対端部６Ｂにあるフック１９を着衣等に固定する。かかる財布がポケットから抜き取られ、持ち主の身体から遠く離れようとすると、ひも６が引張られて本体４の挿入溝４２から外れる。すると、操作子３６のひも６による拘束が解けて、可動端子３４がばね３３の力で動いて接点を閉じ、警報音が発生する。この警報音を止めるには、ひも６を溝４２に挿入してもよいが、本体４の外側から操作可能なスライドボタンを本体４に設け、このボタンがスライドすると可動端子３４に当接してこの端子３４を固定端子３５から離脱させるようにしてもよい。このようなボタンは、警報音を緊急停止させるときに使い易いものである。装置１は、ひも６とこのボタンとを併せ持つことができる。
【００２８】
かかる装置１の本体４は、可撓性のひも６を介して着衣等に取り付けられているから、本体４が、換言すると本体４を入れた財布が、ひも６による拘束を殆ど受けることなくポケットの中でどのような向きをとることも可能であり、また、本体４がどのような方向へ動いても、ひも６は本体４から簡単に外れる。このように、装置１は、それを身につけるに当って方向を選ぶことがないから、極めて使い易い。
【００２９】
本体４における格子模様７やゴムパッド１１は、本体４と財布との間の摩擦力を高め、財布がポケットから抜き取られるときに、本体４が財布の中にとどまることを容易にするための手段である。本体４が財布の中で滑り易いとか、本体４とひも６とが容易に外れないとかいう状態にあると、装置１はひも６が外れる以前に財布から抜け出てしまうので好ましくない。
【００３０】
ただし、本体４が格子模様７やゴムパッド１１を必要としないときには、それらを省いてこの発明を実施することができる。本体４は、それにフック部材等を取り付けて財布に固定することもできる。
【００３１】
図５は、この発明の実施態様の一例を示す図３と同様の図面である。この装置１では、スイッチ２６の接点が固定端子３５と板ばね製の可動端子３４とで構成され、可動端子３４は、それ自身の弾性によって固定端子３５に当接するように作られている。ひも６は、仮想線で示すように、矢印Ｘ方向から可動端子３４と下部面板３との間に挿入されて接点を開く。ひも６が本体４から外れると、可動端子３４が固定端子３５に当接して接点が閉じ、警報音が発生する。
【００３２】
この発明において、ひも６を本体４で支持するための機構は、挿入溝４２に限らず、適宜の機構を採用することができる。例えば、図５の場合には、ひも６が可動端子３４と固定端子３５とによって挟圧されることで本体４に支持されていてもよい。ひも６は、それに適宜の絶縁性部材を取り付けておき、その部材を介して可動端子３４を動かすようにしてもよい。
【００３３】
【発明の効果】
この発明に係る警報装置は、財布やクレジットカード入れの中へ納めることができ、財布が抜き取られて持ち主の身体から離れると警報音が発生するから、それら財布やクレジットカード入れの盗難防止に効果をあげることができる。
【００３４】
かかる警報装置は、本体を可撓性のひもを介して着衣等に取り付けたから、本体を財布等へ入れるときに方向を選ぶ必要がなく、また、本体がどのような方向へ引張られてもひもの外れ易すさに変化がなく、極めて使い易い。
【図面の簡単な説明】
【図１】警報装置の斜視図。
【図２】警報装置の内部を示す平面図。
【図３】図２のＩＩＩ−ＩＩＩ線切断面を示す図。
【図４】警報装置の回路図。
【図５】実施形態の一例を示す図３と同様の図面。
【符号の説明】
１    装置
２    面板（上部面板）
３    面板（下部面板）
６    ひも
２１    電気回路
２４    電源
２６    スイッチ
３４    可動端子
３５    固定端子
４２    支持機構（溝部）
【図１】
0003756671.tif 000002
【図２】
0003756671.tif 000003
【図３】
0003756671.tif 000004
【図４】
0003756671.tif 000005
【図５】
0003756671.tif 000006